(57)【要約】【課題】携帯電話機の着信時の振動パターンをユーザが選択設定できる機能を使用して、携帯電話機の着信を精度良く判定できる着信報知装置の提供。【解決手段】携帯型の情報端末（図示せず）が発生させた振動に起因する音を電気信号に変換するマイクロフォン４０を備え、その変換した電気信号を増幅しバンドパスフィルタ４２に通すことにより、情報端末の振動を検出して、情報端末が着信したことを報知する着信報知装置。バンドパスフィルタ４２に通した電気信号の電圧値と所定電圧値との高／低を比較して、電気信号の時系列的な高／低パターンを作成する電圧比較回路４３と、電圧比較回路４３が作成した高／低パターンが、予め記憶してある時系列的な高／低パターンと一致するか否かを判定する判定手段４４とを備え、判定手段４４が一致すると判定したときに、情報端末が着信したことを報知する構成である。【選択図】図４
2008092281.tif 000002
【特許請求の範囲】
【請求項１】
携帯型の情報端末が発生させた振動に起因する音を電気信号に変換するマイクロフォンを備え、該マイクロフォンが変換した電気信号を増幅しバンドパスフィルタに通すことにより、前記振動を検出して、前記情報端末が着信したことを報知するように構成してある着信報知装置において、
前記バンドパスフィルタに通した電気信号の電圧値と所定電圧値との高／低を比較して、前記電気信号の時系列的な高／低パターンを作成する電圧比較回路と、該電圧比較回路が作成した高／低パターンが、予め記憶してある時系列的な高／低パターンと一致するか否かを判定する判定手段とを備え、該判定手段が一致すると判定したときに、前記情報端末が着信したことを報知するように構成してあることを特徴とする着信報知装置。
【請求項２】
電気信号の時系列的な高／低パターンを設定する手段を更に備え、前記判定手段は、該手段が設定した高／低パターンと前記電圧比較回路が作成した高／低パターンとが一致するか否かを判定するように構成してある請求項１記載の着信報知装置。
【請求項３】
前記判定手段が一致すると判定したときに、他の電気機器をオン／オフ操作する為の遠隔操作信号を送信する手段を更に備える請求項１又は２記載の着信報知装置。
【発明の詳細な説明】
【技術分野】
【０００１】
本発明は、携帯電話機等の情報端末のマナーモード等における振動機能を利用した着信報知装置に関するものである。
【背景技術】
【０００２】
最近の携帯電話機等の情報端末（以下、携帯電話機と記述）では、ユーザが会議中であるとき、又は公共の交通機関を利用しているとき等にマナーモードにしておくと、着信音を鳴らすことなく、振動を発生させて着信を知らせる振動機能を有するものが普及している。
ユーザが携帯電話機を携帯していないときに、携帯電話機の上記振動を検出して、ユーザに着信があったことを報知する装置が、例えば特許文献１及び特許文献２等に開示されている。これらでは、携帯電話機に近接して、着信を示す振動を検知する検知手段を備え、その検知信号を、無線通信または有線通信により別体の報知部に伝送して、着信の報知を行う装置が提案されている。
【０００３】
特許文献５には、携帯電話機の上記振動をマイクロフォンにより検出し、ユーザに着信が有ったことを報知する着信報知装置が開示されている。
特許文献３には、携帯電話端末等をリモートコントロール装置と兼用するリモコンシステムが開示されている。
また、特許文献４には、家庭内電話機の特定の着信音を検出し、検出した着信音をその継続時間等により識別して、家庭内の電気機器等を遠隔制御する遠隔制御装置が開示されている。
【特許文献１】特開２００３−１７４４９３号公報
【特許文献２】特開２００３−２１８９８９号公報
【特許文献３】特開２００４−１２８８５９号公報
【特許文献４】特開２００５−６４８３６号公報
【特許文献５】特開２００６−１５７８４４号公報
【発明の開示】
【発明が解決しようとする課題】
【０００４】
特許文献１及び特許文献２に開示された装置では、携帯電話機の着信時に発生する振動を検出する為に、センサとして余り普及していない振動センサを使用しており、一方、特許文献５に開示された着信報知装置では、携帯電話機の着信時に発生する振動を検出する為に、マイクロフォンを使用している。
特許文献１，２，５に開示された各装置は、携帯電話機を装着し、携帯電話機の着信を検出して、ユーザに報知するものである。
携帯電話機の着信時の振動を検出する為にマイクロフォンを使用する場合、携帯電話機が発生する振動と同じ周波数帯域の音が周囲で発生していると誤作動する可能性があるという問題がある。
【０００５】
本発明は、上述したような事情に鑑みてなされたものであり、携帯電話機の着信時の振動パターンをユーザが選択設定できる機能を使用して、携帯電話機の着信を精度良く判定できる着信報知装置を提供することを目的とする。また、市販の携帯電話機を使用して、発信側の電話機を限定する設定を行うことにより、電気機器のテレコントロール操作が可能な着信報知装置を提供することを目的とする。
【課題を解決するための手段】
【０００６】
本発明に係る着信報知装置は、携帯型の情報端末が発生させた振動に起因する音を電気信号に変換するマイクロフォンを備え、該マイクロフォンが変換した電気信号を増幅しバンドパスフィルタに通すことにより、前記振動を検出して、前記情報端末が着信したことを報知するように構成してある着信報知装置において、前記バンドパスフィルタに通した電気信号の電圧値と所定電圧値との高／低を比較して、前記電気信号の時系列的な高／低パターンを作成する電圧比較回路と、該電圧比較回路が作成した高／低パターンが、予め記憶してある時系列的な高／低パターンと一致するか否かを判定する判定手段とを備え、該判定手段が一致すると判定したときに、前記情報端末が着信したことを報知するように構成してあることを特徴とする。
【０００７】
この着信報知装置では、携帯型の情報端末が発生させた振動に起因する音をマイクロフォンが電気信号に変換し、その変換した電気信号を増幅しバンドパスフィルタに通すことにより、情報端末が発生させた振動を検出して、情報端末が着信したことを報知する。電圧比較回路が、バンドパスフィルタに通した電気信号の電圧値と所定電圧値との高／低を比較して、電気信号の時系列的な高／低パターンを作成する。判定手段は、電圧比較回路が作成した高／低パターンが、予め記憶してある時系列的な高／低パターンと一致するか否かを判定し、判定手段が一致すると判定したときに、情報端末が着信したことを報知する。
【０００８】
本発明に係る着信報知装置は、電気信号の時系列的な高／低パターンを設定する手段を更に備え、前記判定手段は、該手段が設定した高／低パターンと前記電圧比較回路が作成した高／低パターンとが一致するか否かを判定するように構成してあることを特徴とする。
【０００９】
本発明に係る着信報知装置は、前記判定手段が一致すると判定したときに、他の電気機器をオン／オフ操作する為の遠隔操作信号を送信する手段を更に備えることを特徴とする。
【発明の効果】
【００１０】
本発明に係る着信報知装置によれば、周囲に携帯電話機が発生させる振動と同じ周波数帯の雑音があったとしても、携帯電話機の着信時の振動パターンをユーザが選択設定できる機能を使用して、携帯電話機の着信を精度良く判定し、報知できる着信報知装置を実現することができる。
【００１１】
本発明に係る着信報知装置によれば、周囲に携帯電話機が発生させる振動と同じ周波数帯の雑音があったとしても、携帯電話機の着信時の振動パターンをユーザが選択設定できる機能を使用して、携帯電話機の着信を精度良く判定し、報知できる着信報知装置を実現することができる。また、着信時の振動パターンのグループ設定ができる携帯電話機に合わせて、振動パターンを設定することにより、特定の電話機からの着信のみを報知するようにできる。
【００１２】
本発明に係る着信報知装置によれば、市販の携帯電話機を使用して、発信側の電話機を限定する設定を行うことにより、電気機器のテレコントロール操作が可能な着信報知装置を実現することができる。また、着信時の振動パターンのグループ設定ができる携帯電話機において、１グループとして、例えば家族の一員の携帯電話機と一つの振動パターンとを携帯電話機の電話帳に登録しておき、当該着信報知装置の記憶回路に上記振動パターンを予め記憶させておけば、家電製品のオン、オフ程度の簡単なテレコントロール操作が可能となる。
【発明を実施するための最良の形態】
【００１３】
以下に、本発明を、その実施の形態を示す図面を参照しながら説明する。
図１は、本発明に係る着信報知装置の実施の形態の外観を示す斜視図である。この着信報知装置１は、平たい概ね直方体形状に樹脂成型されており、携帯電話機１０を載置する上面は、その外縁部が僅かずつ外部へ向かって突出しており、その突出部に沿って、携帯電話機１０を嵌め込み固定する為の浅い枠体３が形成されている。枠体３の長辺方向は、多種類の携帯電話機１０に適応できるように長さに余裕を持たせており、携帯電話機１０は、枠体３の２つの長辺間に嵌め込まれ、平らな上面と密着する構造になっている。
尚、ここでは、一例として折り畳み式の携帯電話機１０を使用する場合について説明する。
【００１４】
マナーモードに設定された携帯電話機１０は、着信報知装置１の上面へ図１の矢印で示すように装着される。
着信報知装置１の携帯電話機１０が密着する面の中央部には、後述するマイクロフォン４０（図４）に開口する為の数個の小さな孔からなるマイク孔２が設けてあり、この内部にマイクロフォン４０が配置してある。
携帯電話機１０は、メーカ及び型番により、着信時の振動発生用の振動モータの取り付け位置が異なるが、何れの携帯電話機でも振動しているときに背面の平らな面を耳に当てると、かなり大きな音が聞こえる。
そこで、本発明に係る着信報知装置１は、マナーモードに設定された携帯電話機１０が着信したとき、その振動機能を利用して振動音をマイクロフォン４０で検出する。
【００１５】
着信報知装置１の長手方向の一方の端部は、化粧パネル４で覆われており、化粧パネル４の上面側には、着信表示ＬＥＤ２０が設けられている。
化粧パネル４の内部には、テレコントロール機能を行う為の赤外線リモートコントロール（以下、リモコンと記述）信号を送信する赤外線リモコン信号送信回路５１（図４）が設けられている。
化粧パネル４の上面側には、本着信報知装置１の電源スイッチ２５も設けられている。電源スイッチ２５は、押しボタンタイプであり、押される毎にオン／オフが切り替わる。オン時には少し窪んだ状態になり、オフ時には少し出っ張る状態になるので、何れの状態であるかは、電源スイッチ２５の外観で判断することができる。
【００１６】
図２は、本着信報知装置１の裏面（下面）に設けてある電池フタ２６の半開き状態を示す説明図である。電池フタ２６は、一方側に引っ掛け部があり、他方側にスナップの付いたツメがあって、指で開閉可能な構造になっている。
図３は、図２に示す電池フタ２６を取外した内部を示す説明図である。本実施の形態では、電池フタ２６を取外した内部は、本着信報知装置１の電源である２本の単３乾電池３０，３１を内蔵する構造になっている。電池３０，３１の交換は、電池フタ２６を開けることによって可能である。
乾電池３０に隣接するように、切換スイッチ４６が設けられており、切換スイッチ４６は、携帯電話機１０の振動パターンを記憶させるときに使用される。
【００１７】
図４は、図１に示す着信報知装置１の構成例を示すブロック図である。この着信報知装置１は、上述したように、電源として、２本の単３乾電池３０，３１を直列接続して、全回路に供給しており、図１で説明した電源スイッチ２５が、単３乾電池３０，３１に直列に接続されている。着信報知装置１が使用されないときは、乾電池３０，３１の消耗を防止する為に、電源スイッチ２５はオフにされる。
携帯電話機１０（図１）の振動に起因する音からマイクロフォン４０が変換した電気信号は、オペアンプＩＣを使用した増幅回路４１に与えられ、増幅回路４１は、与えられた微小電気信号を、以降の信号処理が可能な電圧レベルに増幅した後、バンドパスフィルタ４２に与える。
【００１８】
バンドパスフィルタ４２は、オペアンプＩＣを使用しており、様々な周囲の雑音の中で携帯電話機１０から発生した振動音を特定する手段であり、増幅回路４１からの電気信号の通過周波数帯域を制限する。
例えば、周囲の雑音がマイクロフォン４０で変換され増幅された電気信号は、バンドパスフィルタ４２に入力されても、殆どの雑音は周波数帯域が通過周波数帯域と異なるので、このバンドパスフィルタ４２で遮断される。一方、携帯電話機１０の着信時の振動モータが発生させた音が、マイクロフォン４０で変換され増幅された電気信号は、バンドパスフィルタ４２を問題なく通過でき、通過した電気信号は、電圧比較回路４３に与えられる。
【００１９】
電圧比較回路４３は、与えられた電気信号を直流変換した後、そのピーク値と基準電圧値とを比較する。様々な周囲の雑音の中には、携帯電話機１０の振動モータと同じ周波数成分も含まれるが、その周波数成分の音圧は低いので基準電圧値を超えることは滅多にないが、携帯電話機１０の着信時の振動モータの音が変換され増幅された電気信号の場合は、基準電圧値を超えるように設定してある。
電圧比較回路４３により、基準電圧値を超えたか否かで、高／低の振動パターンに変換作成された電気信号は、マイクロコンピュータ４４に入力される。
【００２０】
マイクロコンピュータ４４には、予め設定された電気信号の振動パターン（高／低パターン）を記憶する記憶回路４５と、振動パターンの設定動作に切り換える切換スイッチ４６と、着信したことを表示す着信表示ＬＥＤ２０と、赤外線リモコン信号を送信する赤外線リモコン信号送信回路５１とが接続されている。
【００２１】
振動機能を付加できる携帯電話機には、その振動のオン／オフ（電気信号の高／低）を何回か繰り返す振動パターンが有り、多くの携帯電話機は、複数種類の振動パターンから好みの振動パターンを選択できるようになっている。また、好みの振動パターンを選択、確認する操作として試験的に振動を発生させることができる機能を備えている。
記憶回路４５は、携帯電話機１０のこの操作を利用して、着信報知装置１に設定された振動パターンを記憶する。記憶回路４５は、電源スイッチ２５がオフにされても、記憶が保持できる不揮発性メモリーを使用している。
【００２２】
着信報知装置１に振動パターンを設定する際、先ず、電源スイッチ２５と切換スイッチ４６とをオンにし、携帯電話機１０の平らな面を着信報知装置１のマイク孔２に密着させて、試験的に振動パターンを発生させる。マイクロフォン４０で検知した振動パターンの音信号は、増幅回路４１、バンドパスフィルタ４２及び電圧比較回路４３を介して、マイクロコンピュータ４４に達する。マイクロコンピュータ４４は、入力された信号のオン／オフ（高／低）時間を測定して、記憶回路４５にその振動パターンのデータを記憶させる。記憶が終了すれば、切換スイッチ４６をオフしておく。
【００２３】
以下に、このような構成の着信報知装置１の動作の例を説明する。
マナーモードで振動機能が作動するように設定された携帯電話機１０を、着信報知装置１の受皿（枠体３）に装着して、電源スイッチ２５をオンにしておく。
携帯電話機１０に通話又はメールの着信があると、携帯電話機１０は振動を開始する。マイクロフォン４０で振動から変換された電気信号は、増幅回路４１、バンドパスフィルタ４２及び電圧比較回路４３を介してマイクロコンピュータ４４に入力される。
【００２４】
マイクロコンピュータ４４は、入力された電気信号のオン／オフ時間を測定して、記憶回路４５に予め記憶された振動パターンのオン／オフ時間と比較し、一致すれば、間違いなく携帯電話機１０に着信があったと判定して、着信表示ＬＥＤ２０を点滅させる。
このように、振動パターンをチェックすることにより、周囲に携帯電話機１０の振動モータと同じ周波数の雑音が発生している環境下においても、精度の良い着信の検知を実現することができる。
【００２５】
ところで、最近の携帯電話機の中には、着信時の振動パターンのグループ設定ができるものがある。このような携帯電話機においては、１グループに特定の電話番号と一つの振動パターンとを携帯電話機の電話帳に登録しておき、着信報知装置１の記憶回路４５に前記振動パターンを記憶させておくことにより、特定の電話機からの着信があったことを判定できる。
また、上述した特定の電話機を例えば家族の一員の携帯電話機とすれば、１台の携帯電話機を着信報知装置１に装着し、もう１台の携帯電話機により、家庭電気機器のオン、オフ程度の簡単なテレコントロール操作を行うことができる。
【００２６】
例えば、夫婦で食事に出かけるものとする。妻の携帯電話機をマナーモードで振動機能が作動するように設定し、着信報知装置１の受皿（枠体３）に装着して電源スイッチ２５をオンにしておき、着信報知装置１をルームエアコン（ルームエアコンディショナ）の前方のテーブルの上に置いておく。
食事が終わる頃、夫が自分の携帯電話機で家に有る着信報知装置１に装着した妻の携帯電話機１０にダイヤルする。
妻の携帯電話機１０は、着信すると振動を開始し、マイクロフォン４０により、振動に起因する音から変換された電気信号は、増幅回路４１、バンドパスフィルタ４２及び電圧比較回路４３を介してマイクロコンピュータ４４に入力される。
【００２７】
マイクロコンピュータ４４は、入力された電気信号のオン／オフ時間を測定して、記憶回路４５に予め記憶された振動パターンのオン／オフ時間と比較し、一致すれば、間違いなく携帯電話機１０に着信が有ったと判定する。次に、マイクロコンピュータ４４は、赤外線リモコン信号送信回路５１にルームエアコンの運転をオン／オフする赤外線リモコン信号を送信させる。
その結果、ルームエアコンは運転を開始し、夫婦が家に帰り着いたときには、部屋が充分空調されていることになる。
【００２８】
一般に、赤外線リモコン信号送信回路５１は、変調回路を備え、マイクロコンピュータ４４から入力された操作信号に基づき、搬送波（例えば３９ｋＨｚ）を変調した変調信号を送信する。リモコン信号の搬送波は、中には３９ｋＨｚでないものも存在するが、日本国内の家庭電気機器においては圧倒的に３９ｋＨｚのものが多く、着信報知装置１の赤外線リモコン信号送信回路５１の搬送波は、３９ｋＨｚに固定されている。
尚、上述した具体例においては、妻の携帯電話機１０への他の電話機からの着信による誤作動を防止する為に、妻の携帯電話機１０のグループ設定を夫の携帯電話機１つになるように設定しておく必要がある。
【００２９】
着信報知装置１がルームエアコン操作用のリモコン装置として作動する具体例を上述したが、ルームエアコン付属のリモコン装置は、液晶表示及びその他多くの操作ボタンを有するものが別に存在する。即ち、本実施の形態は、テレコントロール専用のリモコン装置であって、オン／オフ操作の赤外線リモコン信号が共通であれば、多くの機種のルームエアコンに共通使用できるものである。
上記では、ルームエアコンを外出先からテレコントロールする例を説明したが、その他の用途として、野球のナイター中継の延長の為に、後続番組のビデオ録画の開始時間が定まらない場合の遠隔操作などにも使用可能である。
【図面の簡単な説明】
【００３０】
【図１】本発明に係る着信報知装置の実施の形態の外観を示す斜視図である。
【図２】本発明に係る着信報知装置の裏面（下面）に設けてある電池フタの半開き状態を示す説明図である。
【図３】図２に示す電池フタを取外した内部を示す説明図である。
【図４】図１に示す着信報知装置の構成例を示すブロック図である。
【符号の説明】
【００３１】
１  着信報知装置
２  マイク孔
３  枠体
４  化粧パネル
１０  携帯電話機
２０  着信表示ＬＥＤ
２５  電源スイッチ
２６  電池フタ
３０、３１  単３乾電池
４０  マイクロフォン
４１  増幅回路
４２  バンドパスフィルタ
４３  電圧比較回路
４４  マイクロコンピュータ（判定手段）
４５  記憶回路（設定する手段）
４６  切換スイッチ
５１  赤外線リモコン信号送信回路（遠隔操作信号を送信する手段）
【図１】
2008092281.tif 000003
【図２】
2008092281.tif 000004
【図３】
2008092281.tif 000005
【図４】
2008092281.tif 000006